(57)【要約】【課題】通常使用する食器と同様に使用することで自然にカロリーが控えめな食事ができ、少量の食事でバランス良く栄養を摂取できるダイエットのための食器セットを提供する。【解決手段】通常使用する食器と比較して内容量または盛付量を略半分とした飯椀、汁椀、浅皿、深皿、小鉢からなるセットに、カロリー表示と複数の料理メニューの具体例を前記内容量または盛付量を略半分とした飯椀、汁椀、浅皿、深皿、小鉢に実際に料理を盛り付けした図または写真を表示したメニューカード群を添付して構成する。【選択図】図２
2010131343.tif 000002
【特許請求の範囲】
【請求項１】
通常使用する食器と比較して内容量または盛付量を略半分とした飯椀、汁椀、浅皿、深皿、小鉢からなるセットに、カロリー表示と複数の料理メニューの具体例を前記内容量または盛付量を略半分とした飯椀、汁椀、浅皿、深皿、小鉢に実際に料理を盛り付けした図または写真を表示したメニューカード群を添付したことを特徴とするダイエットのための食器セット。
【請求項２】
飯椀、汁椀、小鉢の内側に、また浅皿、深皿の表面に絵柄模様の目盛をつけたことを特徴とする特許請求の範囲第１項記載のダイエットのための食器セット。
【発明の詳細な説明】
【技術分野】
【０００１】  本発明は、カロリーを控えめにした食事を必要とする人たちに少量でバランス良く栄養を摂取することを目的とした食器セットに関する。
【背景技術】
【０００２】  従来、ダイエット（減量のための食事制限）を目的とした食器類に関する提案としては特許文献１に、通常使用する飯椀（ごはん用の茶碗）に中底を設置し、盛り付けることができるごはんの内容量を制限する技術が開示されている。
【特許文献１】特開平２００４−３５１１６８号公報
【０００３】  また、特許文献２に、食べ過ぎあるいは飲み過ぎを抑制することを喚起する表示物を、食器そのものの表面に表示する技術が開示されている。
【特許文献２】特開平２０００−１５７３９８号公報
【発明の開示】
【発明が解決しようとする課題】
【０００４】  しかしながら、特許文献１に記載の技術によれば、通常使用する茶碗ごとにそれぞれ別に中底を用意しなければならないので、使い勝ってが悪く取扱が煩雑となるという問題点があり、特許文献２に記載の技術によれば、食器そのものに摂取カロリー量や注意書きが表示されるため、食器としてのデザイン性に劣るため食事の気分を害し、見た目にもとてもおいしく食事をいただける食器ではないという問題点がある。
また、ダイエット中もバランスよく栄養を摂取することが必要とされるが、これら従来案では栄養バランスは考慮されていないという問題点がある。【０００５】  本発明は係る課題に鑑みてなされたもので、通常使用する食器と同様に使用することで自然にカロリーが控えめな食事ができ、少量の食事でバランス良く栄養を摂取できるダイエットのための食器セットを提供するものである。
【課題を解決するための手段】
【０００６】上記目的を達成するため、請求項１に記載のダイエットのための食器セットは、通常使用する食器と比較して内容量または盛付量を略半分とした飯椀、汁椀、浅皿、深皿、小鉢からなるセットに、カロリー表示と複数の料理メニューの具体例を前記内容量または盛付量を略半分とした飯椀、汁椀、浅皿、深皿、小鉢に実際に料理を盛り付けした図または写真を表示したメニューカード群を添付したことを特徴とする。【０００７】  このように構成されたダイエットのための食器セットによれば、飯椀、汁椀、浅皿、深皿、小鉢の内容量または盛付量を通常使用する食器と比較して略半分としたので、盛付けられる料理の量が略半分となり、カロリーが控えめな食事を自然に摂ることができる。また、添付されたメニューカード群を参照することによって、実際に盛り付けられる料理がイメージできるとともにその料理のカロリー量を知ることができる。【０００８】  ここで、日本人の伝統的な食文化の基本型である「一汁三菜」では、まずごはんを主食とし、副食として汁物がひとつ、メインデッシュ（主菜）がひとつ、副菜がふたつで構成され、主菜には肉や魚あるいは卵や豆腐などのたんぱく質を摂取できる料理を、副菜には野菜や芋類、豆類、きのこ、海草等ビタミンや食物繊維あるいはミネラルを摂取するための料理を組み合わせて、栄養バランスの優れた食事となっている。
この発明は、「一汁三菜」の基本型に沿ったあらゆる料理に対応できるように飯椀、汁椀、浅皿、深皿、小鉢の５つの食器を１つのセットとしているので、通常の食事をする感覚そのものでカロリーを控えながらもバランス良く栄養を摂取することができる。【０００９】  請求項２に記載の本発明は、請求項１に記載のダイエットのための食器セットにおいて、飯椀、汁椀、小鉢の内側に、また浅皿、深皿の表面に絵柄模様の目盛をつけたことを特徴とする。【００１０】  このように構成されたダイエットのための食器セットによれば、絵柄模様の目盛で料理の盛付量の目安となり、正確な量を盛り付けすることができる。
することができる。
【発明の効果】
【００１１】    上述のように、本発明のダイエットのための食器セットによれば、盛り付けられる料理の量が略半分となり、カロリーが控えめな食事を自然に摂ることができ、また、通常の食事をする自然な感覚そのものでカロリーを控えながらもバランス良く栄養を摂取することができるという格別な効果がある。【００１２】  また、低カロリーを具体化した料理例とカロリー量を表示したメニューカード群を参照することによって、簡便にダイエットを目的とした食事をすることができるという効果がある。【００１３】  さらに、絵柄模様の目盛で正確な量を盛り付けすることができ、デザイン的にも優れた食器セットを提供できるという効果がある。
【発明を実施するための最良の形態】
【００１４】  以下、本発明の実施の形態を示す実施例について図１〜図  に基づいて説明する。まず、図１は通常一般的に和食で使用される飯椀と本発明で実施した飯椀の大きさを比較した図である。
１は通常一般的に和食で使用される飯椀で、ご飯を普通に盛り付けた場合約１５０ｇの内容量であり、２は本発明で実施した飯椀の例で、約７５ｇの内容量としている。飯椀と同様に汁椀、浅皿、深皿、小鉢についても通常一般的に使用される食器と比較して内容量または盛付量を略半分とすることが望ましい。【００１５】  図２は、本発明のダイエットのための食器セットの構成を示し、３は飯椀、４は汁椀、５は浅皿、６は深皿、７は小鉢であり、８はメニューカード群であり、これらは全部で１セットとし、適当なデザインを施した化粧箱にて梱包することが望ましい。【００１６】  図３は、前記メニューカード群８の詳細図であり、８１は和食メニュー▲１▼のメニューカードで、上段には実際に本発明の食器を使用して和食を盛り付けた例の写真を配し、下段には和食メニュー▲１▼の内容やカロリーが表示されている。同様に８２から８４は他のメニュー例のメニューカードであり、必要に応じて複数用意される。なお、盛り付けた例の写真に代えて模式図としてもよい。【００１７】  図４は、ダイエットのためのメニュー例の詳細を表した表で、縦軸に和食、洋食、中華の例と合計カロリーを、また横軸に主食、副食の例を示し、それぞれ主食と副食の料理内容とカロリーをしめしている。これら料理例の内容とカロリー表示は、前記メニューカード群８１から８４のそれぞれ裏面等に表示することが望ましい。【００１８】  この実施例では、メニューカード８が紙またはこれに類する印刷物としているが、メニューカード群の内容をデジタルコンテンツとしＣＤ−ＲＯＭ内に一括して収容し、このＣＤ−ＲＯＭをメニューカード群としてもよい。【００１９】  図５は、飯椀の内側に絵柄模様の目盛をつけた実施例で、飯椀９の内側には星型にデザインされた目盛１０が施されているので、ご飯をこの目盛１０を目安として近傍まで盛り付けることで、メニューカード８のメニュー例が示すカロリーと正確に対応させることができる。飯椀と同様に汁椀と小鉢についても内側に絵柄模様の目盛をつけることが望ましい。【００２０】  図６は、浅皿の表面に絵柄模様の目盛をつけた実施例で、浅皿１１の略中央部には○印を輪状にデザインされた目盛１２が施されているので、例えば和食メニュー▲１▼のメインデッシュである鯖味噌煮であれば、輪状の目盛１２内に収まる大きさとして盛り付けることによって、メニューカード８のメニュー例が示すカロリーと正確に対応させることができる。浅皿と同様に深皿についても表面に絵柄模様の目盛をつけることが望ましい。【００２１】  以上、本発明の実施の形態を説明してきたが、本発明はこれに限定されるものではなく、本発明の要旨を変更しない限り、様々な態様で実施し得るものである。
【図面の簡単な説明】
【００２２】
【図１】通常一般的に和食で使用される飯椀と本発明で実施した飯椀の大きさを比較した図
【図２】本発明のダイエットのための食器セットの構成図
【図３】メニューカード群の詳細図
【図４】ダイエットのためのメニュー例の詳細表
【図５】飯椀の内側に絵柄模様の目盛をつけた実施例
【図６】浅皿の表面に絵柄模様の目盛をつけた実施例
【符号の説明】
【００２３】  １…通常一般的に和食で使用される飯椀
２…本発明で実施した飯椀の例
３…飯椀
４…汁椀
５…浅皿
６…深皿
７…小鉢
８…メニューカード群
１０、１２…目盛
【図１】
2010131343.tif 000003
【図２】
2010131343.tif 000004
【図３】
2010131343.tif 000005
【図４】
2010131343.tif 000006
【図５】
2010131343.tif 000007
【図６】
2010131343.tif 000008